(57)【特許請求の範囲】
【請求項１】
カセットのリールを回転する為のリール台を備えた磁気記録再生装置において、上記リール台は樹脂を材質として一体成形され、支持台からはリール台軸が垂直に起立すると共に、同じく支持台から起立してリール台軸の外周溝部に嵌っている羽根の先端にはツメを形成し、羽根はリール穴に設けている凸部に係止することが出来るようにリール台軸の外周から一部が突出し、そして溝部内側面にはツメの後方角部が係止することが出来る段差部を形成し、上記ツメが凸部に当る係止面をリール台の中心軸を通る面に一致させ、ツメの後方角部にはＣ面を形成し、該Ｃ面が係止する溝部内側面の段差部をＣ面の位置より僅か内側に設けると共に該段差部側にもＣ面を設けたことを特徴とする磁気記録装置。
【発明の詳細な説明】
【０００１】
【発明の属する技術分野】
本発明はリール台に特徴を有すビデオテープレコーダ等の磁気記録再生装置に関するものである。
【０００２】
【従来の技術】
一般にカセット方式のビデオテープレコーダでは、カセットからテープを引き出し、回転ヘッドシリンダに装着するテープローディング機構が備えられ、このテープローディング機構を使用することによって、ビデオテープレコーダ使用時において、テープの回転ヘッドシリンダへの正確な位置の装着を可能にしている。そして、このようなテープローディング機構を良好に動作させる為には、ビデオテープレコーダ内に設けている供給リール台及び巻き取りリール台にカセットの供給リール及び巻取りリールを確実に装着することが重要である。
【０００３】
ところで、リール台はカセットのリールを載せて支える支持台、リール穴に嵌合する柱状のリール台軸、それにリール台軸の外周部に形成した溝部に嵌っている羽根から成り、これらは一体成形されている。上記羽根の一部は溝部から外方向に突出していて、リール台軸はカセットのリール穴に嵌ると共に、リール穴内周に設けている凸部に羽根が係止してリール台の回転と共にリールを回すことが出来る。
【０００４】
図５は従来のリール台に残されている問題点を図示した場合であり、リール台が時計方向に回転(右回転)することで、羽根５１はリール穴５２の内周に突出している凸部５３に係止し、該羽根５１を介してリール台の回転トルクをカセットのリールへ伝達することが出来る。この場合、羽根５１は同図に示すよう凸部５３からの反力にて撓み変形するが、溝部５４の内側面５５に当って支えられる。しかし、(ａ)に示すように、羽根５１は溝部５４の内側へ撓んで凸部５３から先端が外れてしまうといった羽根飛び現象が発生する。
【０００５】
従って、このような羽根飛び現象を無くすには羽根の曲げ強度を高くすればよい訳であるが、リール台軸がリール穴５２に嵌る際に、(ｂ)に示すように羽根５１が凸部５３の先端に当って乗り上げる現象が発生した場合、羽根５１の曲げ強度を高くしておくならば、リール穴５２にリール台軸が嵌り難いことになる。仮にリール穴５２に嵌っても羽根先端と凸部５３との接触圧は高くなり、羽根５１が滑って隣の凸部５３に係止することが出来難く、しかも滑る際には騒音が発生する。
【０００６】
このような理由から、凸部５３に当って乗り上げる場合には、羽根部５１が容易に撓み変形するように曲げ強度を低くした方が好ましい。この羽根飛び現象と羽根の乗り上げ現象を共に解決するには、互いに相反する条件を満たす必要があり、従来では満足するリール台は存在していない。
【０００７】
羽根５１はリール台軸に形成した溝部５４に嵌っていて、両内側面５５，５５との間には適度な隙間が存在している。この隙間５７を小さくすれば羽根５１の幅寸法を大きくすることが出来て、回転トルクを伝達する際の反力として凸部５３から作用して(ａ)に示すような円周方向への撓み変形は小さくなり、その結果、凸部５３から外れ難くなる。しかも、羽根５１の幅寸法の拡大であることから、内側への撓み変形は比較的容易に行うことが出来、凸部５３に乗り上がった場合にも外れ易くなる。
【０００８】
しかし、溝部内側面５５，５５との隙間５７，５７を小さくするならば、一体成形する金型の強度が問題となる。すなわち射出成形する金型では、この隙間５７，５７を形成する部分の肉厚が薄くなって金型の耐久性が著しく低下してしまう。
【０００９】
【発明が解決しようとする課題】
このようにビデオテープレコーダにおける従来のリール台には上記のごとき問題がある。本発明が解決しようとする課題はこれら問題点であって、羽根飛びと乗り上げ現象を簡単に解決することが出来るリール台を備えた磁気記録再生装置を提供する。
【００１０】
【課題を解決する為の手段】
本発明に係る磁気記録再生装置のリール台は、リール穴に形成している凸部に係止する羽根が外れないように、またカセットを装填する際に凸部に当って乗り上げても、羽根は容易に撓み変形してリール台軸はリール穴に嵌合出来ると共に凸部からスムーズに離脱出来るように構成している。そこでリール台軸に設けている溝部の片側内側面には段差部を形成し、この段差部に羽根の先端ツメ後方角部が係止するようにしている。
【００１１】
すなわち、リール穴の凸部に羽根先端ツメが係止してトルクを伝達する場合  、羽根は凸部からの反力の作用で円周方向に倒れるが、この場合内側面の段差  部にツメ後方角部が係止して支えられる。すなわち、ツメが段差部に係止する  ことで、これ以上の羽根の撓み変形は抑制され、羽根飛び現象は防止出来る。  また羽根自体の曲げ強度は低く、凸部に当って羽根が乗り上げても簡単に解除  され得る。一方、溝部側面に段差部を設けることで、羽根との間に形成される  隙間は拡大されて金型の強度は向上する。以下、本発明に係る実施例を図面に  基づいて詳細に説明する。
【００１２】
【実施例】
図１はリール台の外観を示している具体例であり、同図の１はリール台軸、２は羽根、３は支持台、４はギア、５は羽根２の先端に設けているツメをそれぞれ表している。本発明のリール台はギア４の上に形成され、そしてリール台軸１、羽根２、支持台３及びギア４は樹脂を材質とした射出成形にて一体的に成形されている。リール台軸１は先端を細くした柱体であって、外周には溝部６，６…が軸方向に設けられ、これら溝部６，６…には上記羽根２，２…が嵌っている。
【００１３】
羽根２はリール台軸１と共に支持台３の底板１３から垂直に起立し、溝部６には上記羽根２が撓み変形可能な状態で嵌っていて、リール台軸１の外周面からは先端のツメ５が突出している。従って、羽根２は溝部空間の範囲内で、内側へ撓むことが出来ると共に周方向に倒れることが出来る。
【００１４】
図２は溝部６に嵌っている羽根２を示している平面図であるが、羽根２は先端にツメ５を形成し、該ツメ５は一方を係止面９として外方向へ延びて先を尖らし、係止面９はリール台の中心軸を通る平面と同一面を成している。すなわち断面を概略直角三角形とし、反時計方向に回転するリール台のツメ５はリール穴に形成している凸部に係止し易くなっている。そして羽根２の断面は溝部６の断面より小さくて自由に撓むことが出来る。さらに溝部６の片内側面７にはC面１５を形成した段差部８を設け、溝部６の入口側の幅寸法は大きくなっている。同じく、ツメ５の後方角部にもC面１４を形成している。
【００１５】
図３はリール穴１０にリール台軸１が嵌合してリール１１を回転する場合を示している。リール穴１０の内周には凸部１２，１２…が軸と平行に等間隔で設けられていて、羽根２の先端ツメ５が凸部１２に係止している。従ってリール台軸１が回転するならば、ツメ５を介してリール１１は回り、該リール１１にテープを巻付けることが出来る。
【００１６】
ところで、ツメ５が凸部１２に係止してリール１１を回す場合、凸部１２からの反力にて羽根２は撓み変形するが、ツメ５の後方角部は図３に示しているように内側面７に設けている段差部８に当って支えられる。羽根２は支持台３の底板１３から垂直に起立しているが、その曲げ強度は低い為に上記凸部１２に当って撓み、そして撓みがある程度に達したところで段差部８に当る。従って羽根２はこれ以上円周方向に撓むことはなく、しかも軸方向に内側へ撓むこともなく、羽根飛び現象は発生しない。上記段差部８はツメ後方角と適度な隙間を残して、該角より僅か中心軸側に設けられている。
【００１７】
図４は羽根２の乗り上げ現象を示しているが、カセットを装填する場合、リール台軸１がリール穴１０に嵌合する際にツメ５の先端が凸部１２の先端に当って乗り上げることがある。この乗り上げ現象は前記説明した通りであるが、本発明では羽根２の曲げ強度が低い為に比較的簡単に内側へ撓み変形する。そしてリール台軸１が回転するならば、ツメ５は凸部先端から外れて隣の凸部側面に係止して前記図３のような状態と成ってリール１１を回転することが出来る。
【００１８】
以上述べたように、本発明の磁気記録再生装置のリール台は羽根の曲げ強度を比較的低くし、羽根が嵌る溝部の内側面には段差部を形成したものであり、次のような効果を得ることが出来る。
【００１９】
【発明の効果】
本発明に係る磁気記録再生装置のリール台はリール台軸の外周に形成している溝部に羽根を備えていて、この羽根先端のツメがリール穴内周に設けている凸部に係止して該リールを回転することが出来るが、凸部からの反力の作用で羽根は撓み変形しても、ツメ後方角部は溝部内側面に形成した段差部に係止することが出来る。すなわち、段差部はストッパーとして機能し、羽根の撓みがある程度になったところでツメが当ってそれ以上の変形を防止し、その為に羽根飛び現象を起こすことはない。
【００２０】
また、支持台から垂直に起立する羽根は曲げ強度が比較的低く、カセットを装填する際に凸部先端にツメが当って乗り上げる場合には羽根は容易に撓み変形する。すなわち、何ら無理なくカセットの装填が出来る。そしてリール台軸が回転するならば凸部先端から外れて隣の凸部に係止することでリールを回転することが出来る。この場合、羽根の曲げ強度が低いことで凸部先端に接する圧力は低く、その為に凸部先端から外れ易く、外れる際の滑りに伴う騒音の発生もない。
【００２１】
一方、該リール台は樹脂を材質として射出成形されるが、溝部に段差部を形成することで、羽根と溝部内側面間の隙間は大きくなり、その為にこの隙間部分を形成する為の金型の一部肉厚を厚くすることが出来、強度並びに耐久性は高くなる。
【図面の簡単な説明】
【図１】本発明に係る磁気記録再生装置のリール台。
【図２】リール台のツメと段差部を形成した溝部。
【図３】ツメの後方角が段差部に係止している場合。
【図４】ツメが凸部に乗り上がっている場合。
【図５】従来のリール台の場合であって、(ａ)は羽根飛び現象、(ｂ)は乗り上げ現象を示している。
【符号の説明】
１  リール台軸
２  羽根
３  支持台
４  ギア
５  ツメ
６  溝部
７  内側面
８  段差部
９  係止面
10  リール穴
11  リール
12  凸部
13  底板
14 C面
15 C面
【図１】
0003584368.tif 000002
【図２】
0003584368.tif 000003
【図３】
0003584368.tif 000004
【図４】
0003584368.tif 000005
【図５】
0003584368.tif 000006